【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
過剰のＯ２を含む排気流において、ＮＯＸを還元させるためのシステムであって、該システムは：
窒素酸化物吸蔵還元触媒；
該窒素酸化物吸蔵還元触媒の上流位置に配置される燃料プロセッサであって、入り口と、出口と、少なくとも１つの触媒とを含む、燃料プロセッサ；および
該燃料プロセッサ触媒の上流に配置される少なくとも１つの燃料注入口を備え、ここで、
該燃料プロセッサの少なくとも一部は、該少なくとも１つの燃料注入口を通って該排気流に注入される燃料を反応させるように適合されており、そして該反応の結果として、迅速な加熱を起こすように適合されており；そして
該燃料プロセッサは、第一触媒セクションおよび第二触媒セクションを備え、該第一触媒セクションは、該注入された燃料の一部を酸素と反応させて、熱、ＣＯ２、およびＨ２Ｏを生成するように適合されており、そして該第二触媒セクションは、該注入された燃料の別の部分をＨ２Ｏと反応させて、Ｈ２およびＣＯを生成するように適合されている、
システム。
【請求項２】
前記燃料プロセッサの熱容量より大きな熱容量を有する熱質量をさらに備え、該熱質量は、該燃料プロセッサより下流であるが、前記窒素酸化物吸蔵還元触媒より上流に位置する、請求項１に記載のシステム。
【請求項３】
前記熱質量は、粒子物質フィルターである、請求項２に記載のシステム。
【請求項４】
前記熱質量の少なくとも一部は、モノリシック構造物である、請求項２に記載のシステム。
【請求項５】
燃料プレヒーターをさらに備え、該燃料プレヒーターは、前記燃料プロセッサの上流であり、そして前記燃料注入口の下流である位置に配置される、請求項１に記載のシステム。
【請求項６】
燃料気化器をさらに備え、該燃料気化器は、前記燃料プロセッサの上流であり、そして前記燃料注入口の下流にある位置に配置される、請求項１に記載のシステム。
【請求項７】
ミキサをさらに備え、該ミキサは、前記燃料プロセッサの上流であり、そして前記燃料注入口の下流にある位置に配置される、請求項１に記載のシステム。
【請求項８】
前記ミキサは、静止ミキサである、請求項７に記載のシステム。
【請求項９】
前記ミキサは、一本のパイプを備え、該一本のパイプは、５より大きな長さ対直径の比率を有する、請求項７に記載のシステム。
【請求項１０】
前記ミキサの少なくとも一部は、ワニスまたは炭素質の沈着物を酸化する能力を有する触媒でコーティングされる、請求項７に記載のシステム。
【請求項１１】
一本のパイプをさらに備え、該パイプは、前記燃料プロセッサの上流であり、そして前記燃料注入口の下流にある位置に配置される、請求項１に記載のシステム。
【請求項１２】
前記一本のパイプは、ワニスまたは炭素質の沈着物を酸化する能力を有する触媒でコーティングされる、請求項１１に記載のシステム。
【請求項１３】
コントロールシステムをさらに備える、請求項１に記載のシステム。
【請求項１４】
前記コントロールシステムは、前記燃料の流速を測定および調節する、請求項１３に記載のシステム。
【請求項１５】
前記第一触媒セクションおよび第二触媒セクションは、１つのモノリス基板上の２種のコーティングによって形成されている、請求項１に記載のシステム。
【請求項１６】
前記燃料プロセッサは、前記窒素酸化物吸蔵還元触媒に入る全ての排気を処理するように構成されている、請求項１に記載のシステム。
【請求項１７】
前記第一触媒セクションは、１００ミクロン以下の壁厚を有する、モノリス基板上のコーティングである、請求項１に記載のシステム。
【請求項１８】
前記第一触媒セクションは、２５０℃の温度の希薄条件下での排気流中のディーゼル燃料の酸化を触媒するために有効な濃度であって、前記第二触媒セクション中のパラジウムの濃度より大きい濃度のパラジウムを含有する、請求項１に記載のシステム。
【請求項１９】
前記第二触媒セクションは、６００℃の温度で前記排気流内のディーゼル燃料の流れの改質を触媒するために有効な濃度であって、前記第一触媒セクション中のロジウムの濃度より大きい濃度のロジウムを含有する、請求項１に記載のシステム。
【請求項２０】
前記少なくとも２つの触媒セクションは、直列で存在する、請求項１に記載のシステム。
【請求項２１】
前記少なくとも２つの触媒セクションは、並列で存在する、請求項１に記載のシステム。
【請求項２２】
前記窒素酸化物吸蔵還元触媒および前記燃料プロセッサは、単一の収容構造物中に配置されない、請求項１に記載のシステム。
【請求項２３】
前記窒素酸化物吸蔵還元触媒および前記燃料プロセッサは、単一の収容構造物内に配置される、請求項１に記載のシステム。
【請求項２４】
窒素酸化物吸蔵還元触媒吸着剤を再生する方法であって、該方法は：
燃料プロセッサの上流の薄い排気流に燃料を注入する工程であって、該燃料プロセッサは、入り口、出口および少なくとも１つの触媒を備え、該燃料の注入により、該排気流の全体が希薄なままであり、そして該少なくとも１つの触媒上での該注入された燃料の燃焼は、該燃料プロセッサの少なくとも一部を、約５００℃〜約７５０℃の範囲内の温度まで加熱する、工程；
該燃料の注入速度、または該排気の酸素濃度を調節する工程であって、これによって、該燃料の注入が、該排気流を全体的に豊富にする、工程；
該少なくとも１つの燃料プロセッサ触媒内で該燃料と排気流との混合物を反応させて、ＣＯおよびＨ２を含む還元ガス混合物を生成する工程；
吸着剤を有する窒素酸化物吸蔵還元触媒中に該還元ガス混合物を導入する工程であって、該吸着剤は、該還元ガス混合物の導入により再生される、工程；ならびに
該吸着剤が所望の程度まで再生された後に、該燃料の注入を止める工程、
を包含する、方法。
【請求項２５】
前記排気流は、圧縮点火エンジン排気である、請求項２４に記載の方法。
【請求項２６】
前記燃料プロセッサは、窒素酸化物吸蔵還元触媒に入る全ての排気を処理するように構成されている、請求項２４に記載の方法。
【請求項２７】
過剰のＯ２を含む排気流において、ＮＯＸを還元させるためのシステムであって、該システムは：
窒素酸化物吸蔵還元触媒；
該窒素酸化物吸蔵還元触媒の上流位置に配置される燃料プロセッサであって、入り口と、出口と、少なくとも１つの触媒とを含む、燃料プロセッサ；および
該燃料プロセッサ触媒の上流に配置される少なくとも１つの燃料注入口を備え、ここで、
該システムは、該燃料注入口を通る燃料の注入が、該燃料プロセッサの触媒の少なくとも一部の温度を迅速に上昇させるように適合されており、該適合は、１０ミクロン〜１００ミクロンの壁厚を有するモノリス触媒構造物を備え、そして
該燃料プロセッサの触媒は、注入された燃料の少なくとも一部が少なくとも５００℃の温度まで加熱された後に、該注入された燃料を改質して、Ｈ２およびＣＯを生成するように適合されている、
システム。
【請求項２８】
前記燃料プロセッサの熱容量より大きな熱容量を有する熱質量をさらに備え、該熱質量は、該燃料プロセッサの下流であるが前記窒素酸化物吸蔵還元触媒より上流に位置する、請求項２７に記載のシステム。
【請求項２９】
前記熱質量は、粒子物質フィルターである、請求項２８に記載のシステム。
【請求項３０】
前記熱質量の少なくとも一部は、モノリシック構造物である、請求項２８に記載のシステム。
【請求項３１】
燃料プレヒーターをさらに備え、該燃料プレヒーターは、前記燃料プロセッサの上流であり、そして前記燃料注入口の下流である位置に配置される、請求項２７に記載のシステム。
【請求項３２】
燃料気化器をさらに備え、該燃料気化器は、前記燃料プロセッサの上流であり、そして前記燃料注入口の下流にある位置に配置される、請求項２７に記載のシステム。
【請求項３３】
ミキサをさらに備え、該ミキサは、前記燃料プロセッサの上流であり、そして前記燃料注入口の下流にある位置に配置される、請求項２７に記載のシステム。
【請求項３４】
前記ミキサは、静止ミキサである、請求項３３に記載のシステム。
【請求項３５】
前記ミキサは、一本のパイプを備え、該一本のパイプは、５より大きな長さ対直径の比率を有する、請求項３３に記載のシステム。
【請求項３６】
前記ミキサの少なくとも一部は、ワニスまたは炭素質の沈着物を酸化する能力を有する触媒でコーティングされる、請求項３３に記載のシステム。
【請求項３７】
一本のパイプをさらに備え、該パイプは、前記燃料プロセッサの上流であり、そして前記燃料注入口の下流にある位置に配置される、請求項２７に記載のシステム。
【請求項３８】
前記一本のパイプは、ワニスまたは炭素質の沈着物を酸化する能力を有する触媒でコーティングされる、請求項３７に記載のシステム。
【請求項３９】
コントロールシステムをさらに備える、請求項２７に記載のシステム。
【請求項４０】
前記コントロールシステムは、前記燃料の流速を測定および調節する、請求項３９に記載のシステム。
【請求項４１】
前記モノリス構造物は、別々の酸化触媒セクションおよび改質触媒セクションを備える、請求項２７に記載のシステム。
【請求項４２】
前記燃料プロセッサは、前記窒素酸化物吸蔵還元触媒に入る全ての排気を処理するように構成されている、請求項２７に記載のシステム。
【請求項４３】
前記燃料プロセッサは、少なくとも２つの触媒を含み、少なくとも１つの触媒が改質触媒であり、そして少なくとも１つの触媒が酸化触媒である、請求項２７に記載のシステム。
【請求項４４】
前記第一触媒セクションは、２５０℃の温度の希薄条件下での排気流中のディーゼル燃料の酸化を触媒するために有効な濃度であって、前記第二触媒セクション中のパラジウムの濃度より大きい濃度のパラジウムを含有する、請求項４３に記載のシステム。
【請求項４５】
前記第二触媒セクションは、６００℃の温度で前記排気流内のディーゼル燃料の流れの改質を触媒するために有効な濃度であって、前記第一触媒セクション中のロジウムの濃度より大きい濃度のロジウムを含有する、請求項４４に記載のシステム。
【請求項４６】
前記少なくとも２つの触媒セクションは、直列で存在する、請求項４３に記載のシステム。
【請求項４７】
前記少なくとも２つの触媒セクションは、並列で存在する、請求項４３に記載のシステム。
【請求項４８】
前記窒素酸化物吸蔵還元触媒および前記燃料プロセッサは、単一の収容構造物中に配置されない、請求項２７に記載のシステム。
【請求項４９】
前記窒素酸化物吸蔵還元触媒および前記燃料プロセッサは、単一の収容構造物内に配置される、請求項２７に記載のシステム。